(57)【要約】  【課題】ワイヤードリモコンが故障した場合、他の室内機と連動動作を行うことで、故障した室内機リモコンを修理するまで故障した室内機リモコンに接続された室内機本体を他の室内機リモコンにより運転する。  【解決手段】室内機リモコン１２ａが故障した室内機１２は、他の室内機のうち１台の室内機のアドレス（例えば室内機１３のアドレス＃３）を特定アドレスとして記憶し、同特定アドレスの室内機１３が送信する通信データを受信し、同通信データ内に含まれる操作指示Ａに対応する運転を行う。室内機１２は環境的に近い同じ空調グループ内にある室内機のアドレスから１つを選択して特定アドレスとして記憶する。【選択図】図３
2011133145.tif 000002
【特許請求の範囲】
【請求項１】
操作指示を入力するワイヤード式の室内機リモコンを備えた複数の室内機と、室外機と、同室内機と同室外機とを管理する管理装置とを備え、これらの機器には各機器固有の通信用のアドレスが割り当てられ、同アドレスを用いて相互に通信するように通信線で接続されており、前記室内機は、同室内機に割り当てられたアドレスと前記操作指示に対応するデータを含む操作通信データを前記通信線を介して送信する空調機システムであって、
前記室内機は、同室内機に設けられた室内機リモコンが故障した場合、同室内機以外の他の室内機のアドレスのうち、前記室内機に予め記憶された室内機のアドレスからなる特定アドレス、もしくは、前記室内機リモコンが故障した以降に特定して記憶した室内機のアドレスからなる特定アドレスのいずれかに対応する室内機が送信する前記操作通信データを前記通信線を介して受信し、同操作通信データ内に含まれる前記操作指示に従って運転を行うことを特徴とする空調機システム。
【請求項２】
複数の室内機と、同室内機のうち対応する前記室内機の操作指示を入力する室内機リモコンと、室外機と、前記室内機と前記室外機と前記室内機リモコンとを管理する管理装置とを備え、これらの機器には各機器固有の通信用のアドレスが割り当てられ、同アドレスを用いて相互に通信するように通信線で接続されており、前記室内機は、同室内機に割り当てられたアドレスと前記操作指示に対応するデータを含む操作通信データを前記通信線を介して送信する空調機システムであって、
前記室内機は、同室内機に設けられた室内機リモコンが故障した場合、同室内機以外の他の室内機のアドレスのうち、前記室内機に予め記憶された室内機のアドレスからなる特定アドレス、もしくは、前記室内機リモコンが故障した以降に特定して記憶した室内機のアドレスからなる特定アドレスのいずれかに対応する室内機が送信する前記操作通信データを前記通信線を介して受信し、同操作通信データ内に含まれる前記操作指示に従って運転を行うことを特徴とする空調機システム。
【発明の詳細な説明】
【技術分野】
【０００１】
本発明は、複数の室内機を備えた空調機システムに係わり、より詳細には、室内機と対応するリモコンが故障した場合の室内機運転制御に関する。
【背景技術】
【０００２】
従来、空調機システムは図５に示すものが開示されている。
図５において、９１はマルチ型空気調和装置の室外機、９２は、室内機であって、該室内機９２にはそれぞれリモコン９３がワイヤレスで接続されている。上記室外機９１は、各室内機９２に渡り線９４を介して接続されており、該室内機９２との間で空調負荷等の制御データを送受信している。
【０００３】
また、上記室内機９２は、図示しないアドレス設定スイッチを備えている。該アドレス設定スイッチは、ディップスイッチなどで構成されており、各室内機９２毎のユニットアドレスを設定するように構成されており、例えば、“＃０”、“＃１”及び“＃２”の各アドレスを設定することになる。
【０００４】
リモコン９３は、選択可能な上記室内機９２のユニットアドレスと、全室内機９２がリモコンの情報信号を取込むフリーアドレスとを記憶するするように構成されている。そして、該フリーアドレスは、ユニットアドレス以外の適宜なアドレスが予め設定されており、例えば、“＃１１”に設定されている。室内機９２はリモコンからの光信号を受信すると、記憶されているユニットアドレスとフリーアドレスとの何れかに一致しているか否かを判定するように構成されており、アドレス一致を判定すると、受信した情報信号のデータ取込みと共に、受信音を発するようになっている。
【０００５】
一方、上記リモコン９３は、入力キーより入力された設定温度等の制御データに基づいて情報信号を生成するように構成され、各種制御データを情報信号として光信号で室内機９２に送信する構成となっている。
【０００６】
更に、上記リモコン９３は、図示しないアドレス設定スイッチと表示部とを備えている。該アドレス設定スイッチは、上記各室内機９２毎に異なるユニットアドレス又は全室内機９２が共通して情報信号を取込むフリーアドレスの何れかの送信アドレスを設定する構成となっている。そして入力キーによる操作者の指示に従って各種制御データにユニットアドレス又はフリーアドレスの何れかの送信アドレスを付加して情報信号を光信号で室内機９２に送信する構成となっている。
【０００７】
従って、リモコン９３のアドレス設定スイッチの設定値と、室内ユニット９２のユニットアドレス値とを、１対１で対応させ、かつ、室内ユニット９２のユニットアドレス値が異なるように設定すれば、特定のリモコン９３はこれと対応する特定の室内ユニット９２のみを制御することができる。そして、特定のリモコン９３が故障した場合は他のリモコン９３のうち、少なくとも１台をフリーアドレスに設定することにより、この故障した特定のリモコン９３と対応する室内ユニット９２を制御することが可能になる構成にしている（例えば、特許文献１参照。）。
【０００８】
しかしながら、フリーアドレスで代替リモコンを動作させることは赤外線リモコンでは可能であるが、室内機と配線で接続されているワイヤードリモコンには適用できない問題があった。
【先行技術文献】
【特許文献】
【０００９】
【特許文献１】特開平６−３４１９１号公報（第３−４頁、図２）
【発明の概要】
【発明が解決しようとする課題】
【００１０】
本発明は以上述べた問題点を解決し、ワイヤードリモコンが故障した場合、他の室内機と連動動作を行うことで、故障した室内機リモコンを修理するまで故障した室内機リモコンに接続された室内機本体を他の室内機リモコンにより運転することを目的とする。
【課題を解決するための手段】
【００１１】
本発明は上述の課題を解決するため、請求項１に係わる発明は、操作指示を入力するワイヤード式の室内機リモコンを備えた複数の室内機と、室外機と、同室内機と同室外機とを管理する管理装置とを備え、これらの機器には各機器固有の通信用のアドレスが割り当てられ、同アドレスを用いて相互に通信するように通信線で接続されており、前記室内機は、同室内機に割り当てられたアドレスと前記操作指示に対応するデータを含む操作通信データを前記通信線を介して送信する空調機システムであって、
前記室内機は、同室内機に設けられた室内機リモコンが故障した場合、同室内機以外の他の室内機のアドレスのうち、前記室内機に予め記憶された室内機のアドレスからなる特定アドレス、もしくは、前記室内機リモコンが故障した以降に特定して記憶した室内機のアドレスからなる特定アドレスのいずれかに対応する室内機が送信する前記操作通信データを前記通信線を介して受信し、同操作通信データ内に含まれる前記操作指示に従って運転を行うことを特徴とする。
【００１２】
請求項２に係わる発明は、複数の室内機と、同室内機のうち対応する前記室内機の操作指示を入力する室内機リモコンと、室外機と、前記室内機と前記室外機と前記室内機リモコンとを管理する管理装置とを備え、これらの機器には各機器固有の通信用のアドレスが割り当てられ、同アドレスを用いて相互に通信するように通信線で接続されており、前記室内機は、同室内機に割り当てられたアドレスと前記操作指示に対応するデータを含む操作通信データを前記通信線を介して送信する空調機システムであって、
前記室内機は、同室内機に設けられた室内機リモコンが故障した場合、同室内機以外の他の室内機のアドレスのうち、前記室内機に予め記憶された室内機のアドレスからなる特定アドレス、もしくは、前記室内機リモコンが故障した以降に特定して記憶した室内機のアドレスからなる特定アドレスのいずれかに対応する室内機が送信する前記操作通信データを前記通信線を介して受信し、同操作通信データ内に含まれる前記操作指示に従って運転を行うことを特徴とする。
【発明の効果】
【００１３】
以上の手段を用いることにより、本発明による空調機システムによれば、
請求項１に係わる発明は、特定の室内機専用に配線接続されている室内機リモコンが故障して使用不能になった場合、他の室内機と連動動作を行うことで、故障した室内機リモコンを修理するまで故障した室内機リモコンに接続された室内機本体を他の室内機リモコンにより運転することができる。
【００１４】
請求項２に係わる発明は、特定の室内機専用に関連付けが行われ、通信線に接続された室内機リモコンが故障して使用不能になった場合、他の室内機と連動動作を行うことで、故障した室内機リモコンを修理するまで故障した室内機リモコンに接続された室内機本体を他の室内機リモコンにより運転することができる。
【図面の簡単な説明】
【００１５】
【図１】本発明による空調機システムの実施例を示すシステム図である。
【図２】本発明によるの室内機を説明するブロック図である。
【図３】本発明による空調器システムの動作を説明する説明図である。
【図４】本発明による空調器システムの動作を示すフローチャートである。
【図５】従来の空調器システムを示すシステム図である。
【発明を実施するための形態】
【００１６】
以下、本発明の実施の形態を、添付図面に基づいた実施例として詳細に説明する。
【実施例１】
【００１７】
図１は本発明による空調機システムを説明するブロック図である。
【００１８】
ホテル１( ビル) 内に本発明による空調機システムが配置された場合を示しており、この空調機システムは、管理装置４と、冷媒系統５と冷媒系統６とにそれぞれ配置された複数の室内機や室外機が備えられている。各冷媒系統はほぼ同じ構成となっているため、ここでは１つの冷媒系統を説明する。なお、冷媒の配管については本発明と直接関係ないため図示と説明とを省略する。
【００１９】
冷媒系統５は、表示部１１ｂを備えた室内機リモコン１１ａを接続した室内機１１と、表示部１２ｂを備えた室内機リモコン１２ａを接続した室内機１２と、表示部１３ｂを備えた室内機リモコン１３ａを接続した室内機１３と、親室外機１５と、これに接続された子室外機１６とを備えており、以上の各機器は通信線７を介して相互に通信できるようになっている。
【００２０】
このように各機器が通信線７と管理装置４を通信可能に接続されているため、室内機リモコン１１ａを操作して室内機１１や親室外機１５を制御するだけでなく、管理装置４から室内機１１〜室内機１３、親室外機１５や子室外機１６を制御するようにしている。
【００２１】
一方、冷媒系統６には室内機リモコン１１ａを接続した室内機１１と、室内機リモコン１３ａを接続した室内機１３と、親室外機１５と、これに接続された子室外機１６とを備えており、以上の各機器は通信線７を介して相互に通信できるようになっている。
また、冷媒系統６には室内機リモコン３１が通信線７に接続され、また、この室内機リモコン３１の指示でのみ動作する室内機３０が通信線７に接続されている。
なお、通信線７に接続された機器には、各機器専用の通信アドレスが割り当てられており、このアドレスを用いて互いに識別し、相互に通信可能になっている。
【００２２】
この空調器システムの室内機や室外機の各機器にはマイコンが搭載されている。さらに、管理装置４は、ＣＰＵを備えたパソコンやサーバであり、これらのマイコンやＣＰＵが各機器内のプログラムを実行することで各種の処理を行い、種々の機能や手段を実現する構成になっている。
従って、後述する各機器毎の処理説明フローチャートにおける各機能は、これらのマイコンやＣＰＵが処理手順に従って所定のプログラムステップを実行することで実現される。
【００２３】
なお、この実施例では室内機と室内機リモコンとを区別しているが、室内機リモコンは室内機の一部として機能しており、特に指定のない限り『室内機』とはこの２つを合わせたものを示す。また、図１に示すように空調グループ２は、室内機１１〜１３が、また、空調グループ３は、室内機１１と室内機１３とが、それぞれ１つの空調グループとして管理装置４で管理されるようになっている。このような空調グループは、ホテル１内のテナントや事務所、部門毎にまとめて複数の室内機を管理するために設定されている。従って、多くの場合、１つの部屋やフロアをまとめてグループ化する。この空調グループに属する室内機のアドレスは管理装置４の内部で記憶されている。
【００２４】
図２は室内機１２のブロック図である。このブロック図は他の室内機１１や室内機１３と同じ構成であるため、他の室内機についての説明は省略する。
【００２５】
図２に示すように室内機１２は、図示しない赤外線リモコンから送信される赤外線信号を受信するリモコン受信部２１と、室内の温度を検知する室温センサ２７と、室温センサ２７の検知信号を入力する室温センサ入力部２５と、入力した指示に従ってブザー音や合成された音声を発生する報知部２２と、送風ファンモータ２３と、上下風向板の角度調節を行うステッピングモータ２４と、押している間だけ短絡する連動運転ボタン１２ｃのＯＮ／ＯＦＦ状態をスイッチ状態信号に変換して出力するキー入力部２８と、通信線７を介して他の機器と通信を行う通信部２９と、操作者のキー操作を受け付ける室内機リモコン１２ａと、これらを制御する制御手段である室内機制御部２６とを備えている。なお室内機制御部２６は接続線１２ｄを介して室内機リモコン１２ａと通信を行うようになっている。
【００２６】
なお、この実施例では室内機リモコン１２ａは、接続線１２ｄで室内機制御部２ｂと接続されたワイヤードリモコンであるが、このワイヤードリモコンに代替して図示しない赤外線リモコンを用いても室内機を制御できるようになっている。この場合、室内機の設置、初期設定において、ワイヤードリモコンか赤外線リモコンかを選択的に使用するように設定されており、本実施例ではワイヤードリモコンを使用する構成となっている。
また、初期設定においてワイヤードリモコン選択されると、室温センサ２７で検知される室温に代替して、室内機リモコン１２ａ内部に備えられた室温センサで検知した室温のデータが室内機制御部２６へ送信され、室内機制御部２６はこの室温データに基づいて空調制御を行うようになっている。
【００２７】
室内機リモコン１２ａは、定期的に室内の室温データを、また、室内機リモコン１２ａに備えられたキーが操作される毎に操作されたキーと対応する制御データを、それぞれ室内機制御部２６へ送信しており、室内機制御部２６はこの制御データに従って、室内機１２を制御している。
【００２８】
室内機制御部２６では、図示しない赤外線リモコン、もしくは、室内機リモコン１２ａ( ワイヤードリモコン) で設定された運転モードと設定温度とに従って室内機本体を制御する一方、キー入力部２８を介して連動運転ボタン１２ｃのＯＮ／ＯＦＦ状態を監視しており、運転中か運転停止中かに係わらず、連動運転ボタン１２ｃが押下された時にはリモコン受信部２１と室内機リモコン１２ａからの信号受付を停止し、近接する他の室内機の動作と同じ動作を行う連動運転で動作する。
【００２９】
図３は本発明による空調器システムの動作を説明する説明図であり、前述した空調グループ２を抜き出したものである。
１つの室内に設置された３台の室内機１１〜１３には、それぞれ対応する室内機リモコン１１ａ〜１３ａが接続されており、さらに、各室内機のパネル面には前述した連動運転ボタン１１ｃ〜１３ｃがそれぞれ設けられている。また、各室内機は通信線７に接続されている。そして、各室内機は、予め空調機システム内で固有のアドレスが設定されており、このアドレスが室内機制御部２６内部に記憶されている。室内機１１〜１３には、＃１、＃２、＃３のアドレスがそれぞれ対応して記憶されている。
【００３０】
次に操作者の操作とこれに対応する室内機の動作について説明する。例えば室内機１１の場合、操作者は室内機１１の運転開始（指示Ｂ）のために室内機リモコン１１ａを操作する。すると、この操作に対応する信号が室内機１１へ送信され、これを受けた室内機１１は、指示された運転を開始すると共に、指示された内容も含む運転データ、例えば、宛先（管理装置のアドレス）、自機のアドレス（＃１）、指示Ｂの内容（電源オン）、設定温度（２８℃）、風量（中）、風向・・・・・などの一連のデータを操作通信データとして通信線へ送出する。
【００３１】
このデータは宛先のアドレスが管理装置４であるため、管理装置４のみがこれを取り込んで所定の処理（内部の室内機管理テーブルの更新）を行う。一方、このデータは通信線７を介して、これに接続されている全ての機器に伝えられるが、宛先のアドレスが自分のアドレスでないため、管理装置４以外の機器はこのデータを受信しても何の処理も行わない。各室内機リモコンが正常に動作していれば、室内機１２、室内機１３も同様の処理を行っている。
【００３２】
次に室内機１２の室内機リモコン１２ａが何らかの理由で故障したとする。前述したように室内機リモコン１２ａと室内機制御部２６とは定期的に室温データの通信を行っており、この通信が途絶えた場合や、受信したデータ内容が予め規定された範囲を越えた場合、室内機リモコン１２ａ内部で異常や故障が発生していると考えられる。このような場合、室内機制御部２６は室内機リモコン１２ａが故障したと認識する。室内機リモコン１２ａは室内機１２の専用リモコンであり、これが故障した場合、室内機１２の電源オン／オフも含め全ての操作ができなくなる。
【００３３】
一方、故障の要因として室内機リモコン１２ａの図示しないキーの故障も考えられる。この場合このキーが故障しているのか、または、キーが押下されなかったのか室内機リモコン１２ａ側では判別できない。従ってこのキーの故障を認識できるのは操作者だけである。
【００３４】
このため、操作者が室内機リモコン１２ａが故障したと認識した場合、これを室内機１２に指示するために連動運転ボタン１２ｃを押下する。連動運転ボタン１２ｃは本発明による室内機の連動運転の起動に使用されるだけでなく、例えばこのボタンの長押しにより試運転モードや工場での検査モードに切り替えることもできるように、一般的に備えられているボタンである。なお、室内機が連動運転を行っている時にこの連動運転ボタン１２ｃが押下されると、連動運転が解除され、再度室内機リモコン１２ａの指示に従う通常の運転へ復帰する。
【００３５】
室内機制御部２６は連動運転ボタン１２ｃの押下をキー入力部２８を介して認識するか、もしくは、前述したように室内機リモコン１２ａと室内機制御部２６との通信が異常である場合、室内機リモコン１２ａが故障したと判断し、室内機リモコン１２ａからのデータを受付ないで、これから説明する室内機の連動運転で動作する。なお以下の説明において、室内機リモコンが故障した室内機を『リモコン故障室内機』と呼称する。
【００３６】
この連動運転とは、リモコン故障室内機が、操作者の操作を受けた他の室内機と同じ運転内容で連動して運転することである。例えばリモコン故障室内機の隣に位置する室内機と同じ動作を行うことである。前述したように、３台の室内機１１〜１３は１つの室内に配置され、同じ空調グループに属している。従ってこれらの３台の室内機はほぼ同じ環境にあると言える。このため、図３において例えば室内機１２の室内機リモコン１２ａが故障した場合、室内機１２は室内機リモコン１２ａからの操作指示に代替して室内機リモコン１３ａの操作による室内機１３の運転と同じ運転を行う。
【００３７】
どの室内機の運転に従うのかは事前に決定しておけばよい。例えば、リモコン故障室内機である室内機１２のアドレス（＃２）のひとつ後のアドレス＃３、つまり、室内機１３にするとか、故障した室内機１２のアドレス（＃２）のひとつ前のアドレス＃１、つまり、室内機１１にするとかの方法があり、この従うべき室内機のアドレスが特定アドレスである。もしくは、空調グループが設定された時に、室内機の室内機リモコンが故障した時に代替の操作指示を受け付けるべき室内機のアドレスを、個々の室内機毎に決定し、室内機制御部２６内に特定アドレスとして記憶させておいてもよい。
【００３８】
また、故障した室内機１２から管理装置４に空調グループ２に所属する各室内機のアドレスを問い合わせ、得た情報、例えば空調グループ２の場合、＃１、＃２、＃３のアドレスの中から故障した室内機１２の自分のアドレス＃２を除外して、残りアドレス＃１、＃３の中から１つを特定のアドレスとして選択してもよい。
【００３９】
管理装置４はその内部に各機器の管理テーブルを記憶しており、各機器の種別（室内機／室外機）、通信用のアドレス、グループ名、設定温度、室温、運転種別（冷房／暖房）、運転状況（運転中／停止中）、・・・・などの情報が各機器毎に記憶され、管理者の指示により、運転状況の変更や設定温度の変更などの指示データを各機器へ送信する。一方、各機器からの送信データを受信し、これに従って管理テーブルを更新する。この管理テーブルは管理装置４の表示部４ａに表示され、管理者はこの表示内容によって空調器システムを監視・管理することができる。
【００４０】
そして、管理装置４は、室内機から『自室内機のグループに属する室内機のアドレス問い合わせ』送信データを受信すると、送信元のアドレス、例えば、空調グループ２の室内機１２（アドレス＃２）からこの問い合わせが送信された場合、管理テーブルを検索し、アドレス＃２が所属する空調グループ名を検索し、このグループ名を持つ室内機を検索する。この結果、空調グループ２の名称を持つアドレス＃１、＃２、＃３が抽出され、この情報を送信元のアドレス＃２、つまり、空調グループ２の室内機１２へ返信する。そして、空調グループ２の室内機１２は＃２を除外した＃１、＃３のいずれかを、自室内機が従うべき室内機のアドレスとする。
【００４１】
次に図３を用いて室内機リモコン１２ａが故障した場合の室内機１２の動作と、通信線７へ送出される通信データについて説明する。
【００４２】
前述したように、室内機リモコン１２ａが故障した場合、室内機１２の室内機制御部２６は、連動運転ボタン１２ｃが押下されたか、もしくは、室内機制御部２６と室内機リモコン１２ａとの通信が異常であると認識すると連動運転を開始する。連動運転では室内機リモコン１２ａからの操作指示信号を受け付けず、指定されたアドレスの室内機、ここでは、アドレス＃３の室内機１３の運転動作と同じ動作を行う。
【００４３】
このため室内機１２の室内機制御部２６は通信線７における通信データを監視し、室内機１３の室内機制御部２６から送信された通信データを取り込む。この通信データは前述したように、宛先（管理装置のアドレス）、自機のアドレス（＃３）、指示Ａの内容（電源オン）、設定温度（２８℃）、風量（中）、風向・・・・・などの一連のデータである。
【００４４】
従って室内機１２の室内機制御部２６は、室内機１２から見れば特定アドレスである『自機のアドレス（＃３）』の通信データを確認したらこのデータを取り込み、この中の『指示Ａの内容（電源オン）』を抽出し、これを室内機１２に対する操作指示として実行することで連動運転が行われる。また、室内機１２の室内機制御部２６は、この指示Ａで運転したことを管理装置４へ伝えるため、宛先（管理装置のアドレス）、自機のアドレス（＃２）、指示Ａの内容（電源オン）、設定温度（２８℃）、風量（中）、風向・・・・・などの一連のデータを送信する。
【００４５】
一方、室内機１３や室内機１２から送信されたデータは室内機１１へも伝わるが、室内機１１の室内機制御部２６は、宛先が自分（アドレスが＃１）でないため、このデータを受付ないで無視する。このようにして、故障した室内機１２は自らの判断、もしくは操作者の指示により連動運転開始する。この場合、他の室内機は室内機１２の故障による特別な動作は行わない。通常と異なる連動運転を行う室内機は故障した室内機１２だけである。
【００４６】
以上説明したように、特定の室内機１２専用に配線接続されている室内機リモコン１２ａが故障して使用不能になった場合、他の室内機、例えば室内機１３と連動運転を行うことで、故障した室内機リモコン１２ａを修理するまで故障した室内機リモコン１２ａに接続された室内機１２本体を他の室内機リモコン１３ａで指定した条件で運転することができる。
【００４７】
次に図４のフローチャートを用いて本発明による空調機システムの動作を説明する。図４（Ａ）は室内機の制御を示し、図４（Ｂ）は管理装置の制御を示す。
また、図４において、ＳＴはステップを表し、これに続く数字はステップ番号を示す。また、図４中の『Ｙ』はＹｅｓを、『Ｎ』はＮｏをそれぞれ示している。
【００４８】
図４（Ａ）において室内機制御部２６は、連動運転ボタンの押下を確認する（ＳＴ１）。連動運転ボタンの押下が無ければ（ＳＴ１−Ｎ）、次に室内機リモコンが故障しているか確認する（ＳＴ２）。これは前述のように室内機本体と室内機リモコンとの通信が途絶えた、または室内機リモコンが異常なデータを送信したことなどで判定できる。
【００４９】
室内機リモコンが故障していない場合（ＳＴ２−Ｎ）、室内機は室内機リモコンの指示に従って室内機を運転する（ＳＴ３）。そしてＳＴ１へジャンプする。
【００５０】
連動運転ボタンの押下がある場合（ＳＴ１−Ｙ）と室内機リモコンが故障している場合（ＳＴ２−Ｙ）、故障した室内機リモコンに代替する指示を受け付ける室内機のアドレスを抽出する（ＳＴ４）。抽出方法は前述した幾つかの方法があるが、この例では管理装置４へ自室内機と同じ空調グループに存在する室内機のアドレスを問い合わせる方式を使用する。
【００５１】
管理装置４へ問い合わせのデータ送信を行うと後述するように、管理装置４から自室内機と同じ空調グループに属する室内機のアドレスが送られてくる。この中から１つのアドレスを抽出する。なお、この時、故障した室内機の報知部２２から『連動運転中です』などの音声出力やその旨を伝えるブザー音を鳴動又は表示させてもよい。
【００５２】
次に、通信線７で送受信される通信データを監視し、代替指示を受け付けるべき室内機からの指示通信が有るか確認する（ＳＴ５）。代替指示を受け付けるべき室内機からの指示通信が有る場合（ＳＴ５−Ｙ）、この指示の内容に従って自室内機の運転内容を変更する（ＳＴ６）。次に連動運転ボタンの押下を確認する（ＳＴ７）。
一方、代替指示を受け付けるべき室内機からの指示通信が無い場合（ＳＴ５−Ｎ）、ＳＴ７へジャンプする。
【００５３】
そして、連動運転ボタンの押下が無ければ（ＳＴ７−Ｎ）、次に室内機リモコンが故障から復帰しているか確認する（ＳＴ８）。これは前述のように室内機本体と室内機リモコンとの通信が可能となった、または室内機リモコンが正常なデータを送信したことなどで判定できる。そして、室内機リモコンが故障から復帰していない場合（ＳＴ８−Ｎ）、ＳＴ５へジャンプする。
【００５４】
一方、連動運転ボタンの押下が有る場合（ＳＴ７−Ｙ）、または、室内機リモコンが故障から復帰している場合（ＳＴ８−Ｙ）、ＳＴ１へジャンプする。つまり、自室内機リモコンの指示による運転へ復帰することになる。
【００５５】
本実施例の説明では特定の室内機１２専用に配線接続されている室内機リモコン１２ａが故障して使用不能になった場合について説明しているが、これに限るものでない。例えば図１において、室内機３０が専用の室内機リモコン３１でのみ操作できるような構成であっても、同様の効果を得ることができる。
【００５６】
この構成の場合、室内機リモコン３１が故障した室内機３０は、空調機システム内の他の室内機のうち１台の室内機のアドレスを特定アドレスとして記憶し、同特定アドレスの室内機が送信する操作通信データを受信し、同操作通信データ内に含まれる操作指示に対応する運転を行うことにより、故障した室内機リモコン３１を修理するまで故障した室内機リモコン３１に接続された室内機３０を他の室内機リモコンで指定した細かい条件で運転することができる。
【符号の説明】
【００５７】
１  ホテル（ビル）
２  空調グループ
３  空調グループ
４  管理装置
４ａ  表示部
７  通信線
１１  室内機
１１ａ  室内機リモコン
１１ｂ  表示部
１１ｃ  連動運転ボタン
１２  室内機
１２ａ  室内機リモコン
１２ｂ  表示部
１２ｃ  連動運転ボタン
１２ｄ  接続線
１３  室内機
１３ａ  室内機リモコン
１３ｂ  表示部
１３ｃ  連動運転ボタン
１５  親室外機
１６  子室外機
２１  リモコン受信部
２２  報知部
２３  送風ファンモータ
２４  ステッピングモータ
２５  室温センサ入力部
２６  室内機制御部
２７  室温センサ
２８  キー入力部
２９  通信部
３０  室内機
３１  室内機リモコン
【図１】
2011133145.tif 000003
【図２】
2011133145.tif 000004
【図３】
2011133145.tif 000005
【図４】
2011133145.tif 000006
【図５】
2011133145.tif 000007